(57)【特許請求の範囲】
【請求項１】
モニタを含む所要の操作機器を集約装備し、アスファルトフィニッシャの機械本体上に傾倒可能に設けられたチルト式コントロールスタンドにおけるモニタ用ひさし構造であって、
前記チルト式コントロールスタンドにおけるモニタ周りにヒンジ部を介して日除け用のひさしを傾動可能に取り付けると共に、
前記ヒンジ部は、前記チルト式コントロールスタンドにおけるモニタ周りに固設したブラケットに前記ひさしの一端側を結合用ボルトの締め込みで支持させることにより構成したことを特徴とするチルト式コントロールスタンドのモニタ用ひさし構造。
【発明の詳細な説明】
【技術分野】
【０００１】
本発明は、チルト式コントロールスタンドのモニタ用ひさし構造に関するものであり、特に、コントロールスタンドをチルトを下げた状態にしてもオペレータの目線を遮ることなくモニタの表示内容を明視することが可能なチルト式コントロールスタンドのモニタ用ひさし構造に関するものである。
【背景技術】
【０００２】
アスファルトフィニッシャ、特に小型アスファルトフィニッシャは、移動走行するときにはオペレータは車両上に乗って運転し、舗装施工時にはオペレータはスクリードステップ上に乗って運転する場合が多い。このため、移動走行時においても舗装施工時においても、共にオペレータが無理のない姿勢で運転できるように、ハンドル及びモニタを含む所要の操作機器をアスファルトフィニッシャの機械本体上で前後に移動させ、さらには該前後の位置で適宜にチルト（傾斜）させるようにした機構が求められている。
【０００３】
これに対し、従来、例えば、次のようなアスファルトフィニッシャにおけるコントロールスタンドの前後移動装置が知られている。この従来技術は、ハンドル及びモニタを含む所要の操作機器を１個のコントロールスタンドに集約装備するとともに、該コントロールスタンドを、下部スタンドフレームと上部スタンドフレーム及びこれらを連結する前後２本ずつ計４本のリンク棒とで構成し、前記下部スタンドフレームは機体に取り付けた回転軸のまわりに上下動可能に軸支し、前記４本のリンク棒はそれぞれ下端を下部スタンドフレーム側に、上端を上部スタンドフレーム側に回動可能に軸支し、前記上部スタンドフレーム、下部スタンドフレーム及び４本のリンク棒で構成されるリンク機構を介して前記コントロールスタンドを機械本体の前後方向に移動可能としている。
【０００４】
また、前記下部スタンドフレームは、機体側に一端を取り付けたガススプリングで上方に付勢するとともに、該ガススプリングはチルトロック装置により常時はその伸張をロックし、該チルトロック装置を解除することにより伸張して下部スタンドフレームを介して前記コントロールスタンドを上方にチルトさせるようにしている。
【０００５】
そして、アスファルトフィニッシャの移動走行時にオペレータが車両上に乗って運転するときには、リンク機構によってコントロールスタンドを前方に移動させるとともにチルトを上げた状態とし、舗装施工時にオペレータがスクリードステップ上に乗って運転するときには、リンク機構によってコントロールスタンドを後方に移動させるとともにチルトを下げた状態として移動走行時においても舗装施工時においても、共にオペレータが無理のない姿勢で運転できるようにしている（例えば、特許文献１参照）。
【先行技術文献】
【特許文献】
【０００６】
【特許文献１】特開２００６−３７３８４号公報
【発明の概要】
【発明が解決しようとする課題】
【０００７】
特許文献１に記載の従来技術においては、ハンドル及びモニタを含む所要の操作機器を１個のコントロールスタンドに集約装備させ、アスファルトフィニッシャの移動走行時にオペレータが車両上に乗って運転するときには、コントロールスタンドを前方に移動させるとともにチルトを上げた状態とし、舗装施工時にオペレータがスクリードステップ上に乗って運転するときには、コントロールスタンドを後方に移動させるとともにチルトを下げた状態として移動走行時においても舗装施工時においても、共にオペレータが無理のない姿勢で運転できるようにしている。
【０００８】
ところで、アスファルトフィニッシャの日中の稼働において、太陽の位置によってはモニタで日光が反射してモニタの表示内容が見え難い場合がある。このため、図５に示すように、固定式のコントロールスタンド１２の場合は、モニタ１３の周りに固定式のひさし１４が取り付けられている。
【０００９】
しかしながら、チルト式コントロールスタンドの場合に、固定式コントロールスタンドの場合と同じように、モニタ周りを固定式のひさしで覆ってしまうと、コントロールスタンドを後方に移動させてチルトを下げた状態としたときにオペレータの目線がひさしよりも上にくるため、ひさしが邪魔になってモニタが見えないという問題がある。したがってチルト式コントロールスタンドの場合は、モニタ周りに日除け用のひさしは取り付けられていない。そのため、太陽とモニタの位置によっては、モニタで日光が反射してしまいモニタの表示内容が見え難いという不具合があった。
【００１０】
そこで、太陽の位置に関係なくモニタへの日光の入射を防ぐとともにコントロールスタンドをチルトを下げた状態にしてもオペレータの目線を遮ることなくモニタの表示内容を明視するために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、モニタを含む所要の操作機器を集約装備し、アスファルトフィニッシャの機械本体上に傾倒可能に設けられたチルト式コントロールスタンドにおけるモニタ用ひさし構造であって、前記チルト式コントロールスタンドにおけるモニタ周りにヒンジ部を介して日除け用のひさしを傾動可能に取り付けると共に、前記ヒンジ部は、前記チルト式コントロールスタンドにおけるモニタ周りに固設したブラケットに前記ひさしの一端側を結合用ボルトの締め込みで支持させることにより構成したチルト式コントロールスタンドのモニタ用ひさし構造を提供する。
【００１２】
この構成によれば、アスファルトフィニッシャの移動走行時等においてチルト式コントロールスタンドが機械本体上の通常の運転席位置にある場合は、ヒンジ部を介してひさしを下げることでモニタへの日光の入射が防止されてモニタの表示内容を明視することが可能となる。一方、舗装施工時等においてチルト式コントロールスタンドが機械本体の後方に移動されるとともにチルトが下げられ、オペレータがスクリードステップ上に乗って運転する等の際には、ヒンジ部を介してひさしが適宜量上げられる。これによりモニタへの日光の入射が防止されるとともにオペレータの目線が遮られることなくモニタの表示内容を明視することが可能となる。
【００１４】
また、モニタ面に対するひさしの所要の設定角度は、ヒンジ部におけるひさしの一端側とブラケットとの摩擦力によって保持される。また、ヒンジ部におけるひさしの一端側とブラケットとの摩擦力は、結合用ボルトの締め込み度合いで調整が可能である。
【発明の効果】
【００１５】
請求項１記載の発明は、アスファルトフィニッシャの移動走行時等においてチルト式コントロールスタンドが機械本体上の通常の運転席位置にある場合はひさしを下げることで太陽の位置に関係なくモニタへの日光の入射が防止されてモニタの表示内容を明視することができる。また、舗装施工時等においてチルト式コントロールスタンドが機械本体の後方に移動されるとともにチルトが下げられた場合はひさしを適宜量上げることで太陽の位置に関係なくモニタへの日光の入射が防止されるとともにオペレータの目線が遮られることなくモニタの表示内容を明視することができるという利点がある。
【００１６】
また、モニタ面に対するひさしの所要の設定角度をヒンジ部におけるひさしの一端側とブラケットとの摩擦力によって保持することができ、また、この摩擦力を結合用ボルトの締め込み度合いで調整することができるという利点がある。
【図面の簡単な説明】
【００１７】
【図１】本発明の実施例に係るチルト式コントロールスタンドのモニタ用ひさし構造におけるモニタ周りにヒンジ部を介して傾動可能に取り付けられたひさし構造を示す図であり、（ａ）はチルト式コントロールスタンドにおけるモニタ周りに傾動可能に取り付けられたひさしを示す側面図、（ｂ）はひさし部分を示す平面図及び各側面図、（ｃ）はブラケット部分を示す平面図及び各側面図。
【図２】本発明の実施例においてチルト式コントロールスタンドに集約装備されたハンドル及びモニタを含む所要の操作機器部分を示す図であり、（ａ）は平面図、（ｂ）は所要の操作機器部分を示す正面図。
【図３】本発明の実施例においてチルト式コントロールスタンドが通常の運転席位置にある場合にひさしを下げて使用している状態を示す側面図。
【図４】本発明の実施例においてチルト式コントロールスタンドが機械本体の後方に移動されてチルトが下げられた場合にひさしを上げて使用している状態を示す側面図。
【図５】従来の固定式コントロールスタンドにおけるモニタ周りに固定式ひさしが取り付けられている状態を示す側面図。
【発明を実施するための形態】
【００１８】
本発明は、太陽の位置に関係なくモニタへの日光の入射を防ぐとともにコントロールスタンドをチルトを下げた状態にしてもオペレータの目線を遮ることなくモニタの表示内容を明視するという目的を達成するために、モニタを含む所要の操作機器を集約装備し、アスファルトフィニッシャの機械本体上に傾倒可能に設けられたチルト式コントロールスタンドにおけるモニタ用ひさし構造であって、前記チルト式コントロールスタンドにおけるモニタ周りにヒンジ部を介して日除け用のひさしを傾動可能に取り付けると共に、前記ヒンジ部は、前記チルト式コントロールスタンドにおけるモニタ周りに固設したブラケットに前記ひさしの一端側を結合用ボルトの締め込みで支持させることにより構成したことにより実現した。
【実施例１】
【００１９】
以下、本発明の好適な実施例を図１の（ａ）、（ｂ）、（ｃ）乃至図４を参照して説明する。まず、本実施例に係るチルト式コントロールスタンドのモニタ用ひさし構造の構成を説明する。図１の（ａ）、（ｂ）、（ｃ）及び図２の（ａ）、（ｂ）において、図示しないアスファルトフィニッシャの機械本体上に前後方向に移動可能で且つ、傾倒可能に設けられたチルト式コントロールスタンド１に、ハンドル２及びモニタ３を含む所要の操作機器４が集約装備されている。そして、前記モニタ３周りにヒンジ部５を介して日除け用のひさし６が傾動可能に取り付けられている。
【００２０】
図１（ｂ）に示すように、ひさし６は、上面が平面に形成され、その両側部に側板６ａ，６ｂが折曲形成されている。また、下面部のやや側板６ｂ側寄りには、側板６ａと共に後述する結合用ボルトが締め込まれる取付け板６ｃが下方に向けて突設されている。図１（ｃ）は、結合用ボルトとともにヒンジ部５を構成するブラケット７を示している。該ブラケット７には、前記ひさし６における側板６ａ及び取付け板６ｃに対応した支持片７ａ，７ｂが立設されている。
【００２１】
図２（ａ）に示すように、ヒンジ部５は、モニタ３周りにねじ止め固定したブラケット７における支持片７ａとひさし６における側板６ａとの間、及びブラケット７における支持片７ｂとひさし６における取付け板６ｃとの間にそれぞれ結合用ボルト８，８を締め込むことにより構成されている。このように構成されたヒンジ部５を介してひさし６がモニタ３周りに傾動可能に取り付けられている。
【００２２】
モニタ３面に対するひさし６の所要の設定角度は、ヒンジ部５を構成しているブラケット７における支持片７ａとひさし６における側板６ａとの間、及びブラケット７における支持片７ｂとひさし６における取付け板６ｃとの間に生じる各摩擦力によって保持される。また、この摩擦力は、結合用ボルト８，８の締め込み度合いで調整が可能である。
【００２３】
次に、上述のように構成されたチルト式コントロールスタンドのモニタ用ひさし構造の作用を説明する。図３に示すように、アスファルトフィニッシャ９の移動走行時等においてチルト式コントロールスタンド１が機械本体１０上の通常の運転席位置にある場合は、ヒンジ部５を介してひさし６を所要量下げることでモニタ３への日光の入射が防止されてオペレータＭはモニタ３の表示内容を明視することが可能となる。
【００２４】
一方、図４に示すように、舗装施工時等においてチルト式コントロールスタンド１が機械本体１０の後方に移動されるとともにチルトが下げられ、オペレータＭがスクリードステップ１１上に乗って運転する際には、ヒンジ部５を介してひさし６が適宜量上げられる。これによりモニタ３への日光の入射が防止されるとともにひさし６でオペレータＭの目線が遮られることなくモニタ３の表示内容を明視することが可能となる。
【００２５】
上述したように、本実施例に係るチルト式コントロールスタンドのモニタ用ひさし構造においては、アスファルトフィニッシャ９の移動走行時等においてチルト式コントロールスタンド１が機械本体１０上の通常の運転席位置にある場合はひさし６を所要量下げることで太陽の位置に関係なくモニタ３への日光の入射が防止されてモニタ３の表示内容を明視することができる。
【００２６】
舗装施工時等においてチルト式コントロールスタンド１が機械本体１０の後方に移動されるとともにチルトが下げられた場合はひさし６を適宜量上げることで太陽の位置に関係なくモニタ３への日光の入射が防止されるとともにオペレータＭの目線が遮られることなくモニタ３の表示内容を明視することができる。
【００２７】
モニタ面に対するひさしの所要の設定角度をブラケット７における支持片７ａとひさし６における側板６ａとの間、及びブラケット７における支持片７ｂとひさし６における取付け板６ｃとの間に生じる各摩擦力によって保持することができる。また、この摩擦力を結合用ボルト８，８の締め込み度合いで調整することができる。
【００２８】
なお、本発明は、本発明の精神を逸脱しない限り種々の改変をなすことができ、そして、本発明が該改変されたものにも及ぶことは当然である。
【産業上の利用可能性】
【００２９】
太陽の位置に関係なくモニタへの日光の入射を防ぐとともにコントロールスタンドをチルトを下げた状態にしてもオペレータの目線を遮ることなくモニタの表示内容を明視することが不可欠な道路舗装機械に広く適用することが可能である。
【符号の説明】
【００３０】
１    チルト式コントロールスタンド
２    ハンドル
３    モニタ
４    操作機器
５    ヒンジ部
６    ひさし
７    ブラケット
８    結合用ボルト
９    アスファルトフィニッシャ
１０    機械本体
１１    スクリードステップ
Ｍ      オペレータ
【図１】
0005748645.tif 000002
【図２】
0005748645.tif 000003
【図３】
0005748645.tif 000004
【図４】
0005748645.tif 000005
【図５】
0005748645.tif 000006